(57)【要約】【課題】テールコードとかごとの接触摩擦抵抗を効果的に低減することでテールコードがかごに擦れることで発生する損傷を防止し、また摩擦音も低減できる機構を備えたエレベータを提供する。【解決手段】本発明は、かご１の側面の、当該かごに接続されているテールコード２が昇降動作中に接触する位置に、当該テールコードを受け止めるローラ３ｂとそれを回転支持する支持部材３ａで成るコード支持装置３を設置したエレベータを特徴とする。【選択図】      図１
2008007229.tif 000002
【特許請求の範囲】
【請求項１】
かご側面に、当該かごに一端が接続されているテールコードに接触して回転するローラとそれを支持する支持部材で成るコード支持装置を設置したことを特徴とするエレベータ。
【請求項２】
昇降路の内壁に、かごに一端が接続されているテールコードに接触して回転するローラとそれを回転支持する支持部材で成るコード支持装置を設置したことを特徴とするエレベータ。
【請求項３】
前記ローラは、少なくともその表面が接触抵抗を低減する材質でできていることを特徴とする請求項１又は２に記載のエレベータ。
【請求項４】
前記ローラは、前記テールコードと接触する面を中心部が凹む湾曲面又はテーパー面としたことを特徴とする請求項１〜３のいずれかに記載のエレベータ。
【請求項５】
前記ローラは、連珠型であることを特徴とする請求項１〜３のいずれかに記載のエレベータ。
【請求項６】
前記コード支持装置は、前記テールコードを前記ローラに接触するように側方からガイドするガイドローラを備えたことを特徴とする請求項１〜５のいずれかに記載のエレベータ。
【発明の詳細な説明】
【技術分野】
【０００１】
本発明は、エレベータに関し、さらに詳しくはテールコードのかごとの接触による損傷を防止する機構を備えたエレベータに関する。
【背景技術】
【０００２】
エレベータかご内の照明装置その他の電気系統に建物側から電力を供給し、またかごとエレベータ制御装置との間で制御信号をやりとりするために、エレベータ制御装置とかごとの間がテールコードで接続してある。そしてこのテールコードは、かごが昇降するときに障害とならないようにエレベータ昇降路内でかごの側方に懸垂させてある。このテールコードはかごの昇降動作で共にそのかごとの接続端部分が昇降するために振動し、弛んでいる部分がかごの側面と接触することがあった。
【０００３】
そこで従来は、かごとの接触でテールコードが損傷を受けないように、かご側面のテールコードと接触する可能性がある部分に滑りを良くするために摺動テープを貼り付ける対策を採ることがあった。
【０００４】
しかしながら、かご側面に摺動テープを貼り付ける程度の対策ではテールコードがかご側面に接触して昇降する際に発生する摩擦音を低くすることができず、その摩擦音がかご内の乗客にまで伝播して不快感を与える問題点があった。また、摺動テープによってかごとテールコードとの接触摩擦を低減することは不十分であり、長期の使用によりテールコードが破損に至りかねない問題点もあった。
【発明の開示】
【発明が解決しようとする課題】
【０００５】
本発明は、上記従来の技術的課題に鑑みてなされたもので、テールコードとかごとの接触摩擦抵抗を効果的に低減することでテールコードがかごに擦れることで発生する損傷を防止し、また摩擦音も低減できる機構を備えたエレベータを提供することを目的とする。
【課題を解決するための手段】
【０００６】
本発明は、かご側面に、当該かごに一端が接続されているテールコードに接触して回転するローラとそれを支持する支持部材で成るコード支持装置を設置したエレベータを特徴とする。
【０００７】
また本発明は、昇降路の内壁に、かごに一端が接続されているテールコードに接触して回転するローラとそれを回転支持する支持部材で成るコード支持装置を設置したエレベータを特徴とする。
【発明の効果】
【０００８】
本発明のエレベータによれば、かご側面に設置されているコード支持装置のローラがテールコードとの接触時に回転してその摩擦抵抗を低減し、また摩擦音の発生を抑制することができ、テールコードがかごに擦れることで発生する損傷を防ぎ、またその摩擦音で乗客に不快感を与えるのも防止できる。
【０００９】
また、本発明のエレベータによれば、昇降路内に設置されているコード支持装置がテールコードとかごとの接触を防止し、またローラがテールコードとの接触時に回転してその摩擦抵抗を低減することができ、テールコードがかごに擦れることで発生する損傷を防ぎ、またテールコードがかご側面に接触して摩擦音を発生することで乗客に不快感を与えるのも防止できる。
【発明を実施するための最良の形態】
【００１０】
以下、本発明の実施の形態を図に基づいて詳説する。図１〜図３に示すように、本実施の形態のエレベータは、昇降路１０内を昇降するかご１の底部と図外の昇降路１０の上部に設置されたエレベータ制御装置との間にテールコード２が接続され、このテールコード２の中間部は自然重力にまかせて懸垂させてある。このテールコード２は、エレベータ制御装置とかご１との間の制御信号を伝送し、また電力を給電するためのケーブルである。
【００１１】
かご１は乗客を収容するかご室１ａとこのかご室１ａを支持するかご枠１ｂから構成されている。そしてかご１の側面におけるテールコード２と接触する位置に、つまり、かご枠１ｂに上下それぞれにコード支持装置３が設置してある。
【００１２】
このコード支持装置３は、かご枠１ｂに取り付けられたローラ支持部材３ａとこのローラ支持部材３ａにて軸承されたローラ３ｂとで構成されている。このローラ３ｂはテールコード２に接触して回転し、かご１の昇降動作時にテールコード２との接触による摩擦抵抗を少なくし、摩擦によりテールコード２が損傷を受けるのを予防し、また摩擦音が発生するのを抑制する。コード支持装置３におけるローラ３ｂは、少なくともその表面部だけでもウレタン材のような耐久性と共に柔軟性を備えた材質のもので形成されている。
【００１３】
本実施の形態のエレベータでは、昇降路１０内でかご１を昇降運転するときに、昇降路１０内に垂れ下がっているテールコード２がかご１に接触するが、その適所に設けられているコード支持装置３のローラ３ｂがテールコード２と接触しつつ回転し、かご１の昇降動作によってかご１とテールコード２とが強く擦れるのを予防し、テールコード２の損傷を防止する。また、かご１がテールコード２に強く擦れることがないので、摩擦音が発生せず、その摩擦音でかご室１ａ内の乗客が不快感を持つこともなくすことができる。
【００１４】
尚、本実施の形態のエレベータでは、コード支持装置３をかご１の上下２箇所に設置したが、それよりも多い箇所に設けてもよく、また効果的であるならば適所に１箇所だけ設けてもよい。また、図１に示したように、テールコード２をガイドする目的で、昇降路１０の内壁における適切な箇所、１箇所あるいは複数箇所にも設置することができる。
【００１５】
また、コード支持装置３のローラ３ｂであるが、図４（ａ）〜（ｃ）それぞれに示したように、中央部が凹むように湾曲したローラ、テーパーになったローラ、あるいは連珠型のローラであってもよい。
【００１６】
さらに、コード支持装置３の構造として、図５に示したように、テールコード２を両側から支持するように、ローラ支持部材３ａの両先端部の内側にもガイドローラ３ｃを別途に設けたものとすることもできる。
【図面の簡単な説明】
【００１７】
【図１】本発明の１つの実施の形態のエレベータの斜視図。
【図２】上記実施の形態におけるかごの平面図。
【図３】上記実施の形態におけるかごの正面図。
【図４】上記実施の形態におけるコード支持装置のローラの変形例を示す平面図。
【図５】上記実施の形態におけるコード支持装置の変形例を示す平面図。
【符号の説明】
【００１８】
１  かご
２  テールコード
３  コード支持装置
３ａ  ローラ支持部材
３ｂ  ローラ
【図１】
2008007229.tif 000003
【図２】
2008007229.tif 000004
【図３】
2008007229.tif 000005
【図４】
2008007229.tif 000006
【図５】
2008007229.tif 000007